(57)【要約】【課題】小型携帯端末において、粗略な取り扱いによる破損及び故障を防止する。【解決手段】使用者によって携帯される小型携帯端末としてのグラフィックターミナルにおいて、報知動作を行う報知部としてのディスプレイやスピーカと、外部から加えられた力の強さを検出するための外部検出部としての振動センサとを備え、この振動センサの検出結果に応じてディスプレイに取り扱いの注意を促す画像を表示させ（Ｓ６）、同様にスピーカに取り扱いの注意を促す音声を出させるようにした（Ｓ７）。これにより、小型携帯端末の取り扱いに対する注意が使用者に促され、使用者は小型携帯端末を大事に取り扱うようになるので、粗略な取り扱いによるグラフィックターミナルの破損及び故障を防止することができる。【選択図】　　図４
2004021499.tif 000002
【特許請求の範囲】
【請求項１】
使用者によって携帯される小型携帯端末において、
報知動作を行う報知部と、
外部から加えられた力の強さを検出するための外力検出部と、
前記外力検出部による検出結果に応じて前記報知部に報知動作を行わせる外力報知手段と、
を備える小型携帯端末。
【請求項２】
温度を検出するための温度検出部と、
前記温度検出部による検出結果に応じて前記報知部に報知動作を行わせる温度報知手段と、
を備える請求項１記載の小型携帯端末。
【請求項３】
使用者によって携帯される小型携帯端末において、
報知動作を行う報知部と、
温度を検出するための温度検出部と、
前記温度検出部による検出結果に応じて前記報知部に報知動作を行わせる温度報知手段と、
を備える小型携帯端末。
【発明の詳細な説明】
【０００１】
【発明の属する技術分野】
本発明は、小型携帯端末に関する。
【０００２】
【従来の技術】
近年、例えばスーパーマーケット等の小売店では、店舗内での在庫数の確認等に際して、グラフィックターミナル等の小型携帯端末が使用されている店舗がある。この小型携帯端末は、可搬性が良好であり、例えばホストコンピュータから離れて作業をする店員によって携帯されて使用される。
【０００３】
このような小型携帯端末は、携帯されて使用される特性上、落下等によって過度の衝撃を受けることが多々あり、場合によっては、小型携帯端末の破損や故障が発生する。そこで、このような破損や故障を防ぐために小型携帯端末の構造が強化されている。
【０００４】
【発明が解決しようとする課題】
しかしながら、小型携帯端末では可搬性が優先されるので構造の強化にも限度がある。さらに、このような業務用の小型携帯端末は使用者によって粗略に扱われることが多々あるため、小型携帯端末の破損及び故障が発生しやすく問題である。
【０００５】
本発明の目的は、粗略な取り扱いによる破損及び故障を防止することができる小型携帯端末を提供することである。
【０００６】
【課題を解決するための手段】
本発明は、使用者によって携帯される小型携帯端末（例えばグラフィックターミナル）において、報知動作を行う報知部（例えばディスプレイ，スピーカ）と、外部から加えられた力の強さを検出するための外力検出部（例えば振動センサ）と、前記外力検出部による検出結果に応じて前記報知部に報知動作を行わせる外力報知手段と、を備える。
【０００７】
したがって、外部から加えられた力の強さが外力検出部により検出され、この検出結果に応じて報知部により報知動作が行われることによって、使用者に小型携帯端末の取り扱いに対する注意が促され、使用者は小型携帯端末を大事に取り扱うようになる。
【０００８】
【発明の実施の形態】
本発明の実施の一形態について図１ないし図５を参照して説明する。本実施の形態は、小型携帯端末をグラフィックターミナル１へ適用した一例である。ここで、図１は本実施の形態のグラフィックターミナル１を概略的に示す外観斜視図である。
【０００９】
図１に示すように、グラフィックターミナル１のケーシング２は、ベース３とトップカバー４とにより形成されている。このトップカバー４の中央には、オペレータに対して所定の情報をカラー画像で表示する表示部としてのディスプレイ５が設けられ、このディスプレイ５の画面には、タッチパネル６が設けられている。
【００１０】
トップカバー４には、オペレータによる操作を受け付ける操作部としてのキー入力部７が設けられており、このキー入力部７は、オペレータから見てディスプレイ５の右側に位置付けられている。
【００１１】
また、トップカバー４には、グラフィックターミナル１の周辺温度を検出するための温度センサ８が設けられており、この温度センサ８は、オペレータから見てディスプレイ５の上側に位置付けられている。なお、温度センサ８はグラフィックターミナル１の周囲温度を検出するが、これに限るものではなく、例えばグラフィックターミナル１の内部温度を検出するようにしても良い。
【００１２】
さらに、トップカバー４には、外部から加えられた力の強さを検出するための４つの振動センサ９ａ，９ｂ，９ｃ，９ｄが設けられており、これらの振動センサ９ａ〜９ｄは、オペレータから見てトップカバー４の上端の中央、下端の中央、左端の中央、右端の中央にそれぞれ位置付けられている。
【００１３】
次に、グラフィックターミナル１が備える各部の電気的接続について図２を参照して説明する。ここで、図２はグラフィックターミナル１が備える各部の電気的接続を概略的に示すブロック図である。
【００１４】
図２に示すように、グラフィックターミナル１は、マイクロコンピュータ（Ｍｉｃｒｏｃｏｍｐｕｔｅｒ：以下、マイコンという）１０を内蔵し、このマイコン１０が各部を駆動制御する。マイコン１０は、各部を集中的に制御するＣＰＵ（Ｃｅｎｔｒａｌ　Ｐｒｏｃｅｓｓｉｎｇ　Ｕｎｉｔ）１１に、アドレスバス、データバス等のバスライン１２を介して、起動プログラムや制御プログラム等の固定的データを予め格納するＲＯＭ（Ｒｅａｄ　Ｏｎｌｙ　Ｍｅｍｏｒｙ）１３と各種バッファを構成して各種データを書き換え自在に格納するワークエリアとして機能するＲＡＭ（Ｒａｎｄｏｍ　Ａｃｃｅｓｓ　Ｍｅｍｏｒｙ）１４とが接続されて構成されている。なお、ＲＡＭ１４は、バッテリ（図示せず）によってバックアップされている。
【００１５】
次いで、マイコン１０によって駆動制御される各部を説明する。
【００１６】
キー入力部７は、キー入力回路１５を介してバスライン１２に接続され、キー入力回路１５の動作によって、操作されたキーに応じた信号をマイコン１０に入力する。
【００１７】
ディスプレイ５は、表示制御回路１６を介してバスライン１２に接続され、マイコン１０からの表示データが表示制御回路１６に入力されると、表示制御回路１６に駆動されて所定事項を表示する。これらのディスプレイ５及び表示制御回路１６が報知部として機能する。
【００１８】
タッチパネル６は、タッチパネル制御回路１７を介してバスライン１２に接続され、タッチパネル制御回路１７の動作によって、タッチパネル６に設けられて所定情報の入力に使用される入力キー（図示せず）に応じた信号をマイコン１０に入力する。
【００１９】
すなわち、入力キーの位置を示す画像情報等が表示制御回路１６によってディスプレイ５の画面に表示され、その画像情報とタッチパネル６の座標との位置関係の同期がとられ、その画像情報に位置するタッチパネル６の一部分が入力キーとして機能する。これにより、タッチパネル６付きディスプレイ５が操作部として機能する。
【００２０】
温度センサ８は、温度センサ制御回路１８を介してバスライン１２に接続され、温度センサ制御回路１８の動作によって、検出した温度に応じた信号をマイコン１０に入力する。これらの温度センサ８及び温度センサ制御回路１８が温度検出部として機能する。なお、温度センサ８としては、サーミスタが用いられているが、これに限るものではなく、例えば熱電対や測温抵抗体等が用いられても良い。
【００２１】
振動センサ９ａ〜９ｄは、振動センサ制御回路１９を介してバスライン１２に接続され、振動センサ制御回路１９の動作によって、検出した加速度に応じた信号をマイコン１０に入力する。これらの振動センサ９及び振動センサ制御回路１９が外力検出部として機能する。なお、外力検出部としては、振動センサ９及び振動センサ制御回路１９が用いられているが、これに限るものではない。
【００２２】
また、グラフィックターミナル１には、スピーカ２０が内蔵されており、マイコン１０によって駆動制御される。このスピーカ２０は、スピーカ制御回路２１を介してバスライン１２に接続され、マイコン１０からの信号がスピーカ制御回路２１に入力されると、スピーカ制御回路２１に駆動されて音声を出す。このスピーカ制御回路２１には、ＲＯＭ１３に格納された音声ファイル（詳しくは後述する）に登録された音声データを再生するための音声合成回路が含まれている。これらのスピーカ２０及びスピーカ制御回路２１が報知部として機能する。
【００２３】
なお、報知部としては、ディスプレイ５及び表示制御回路１６が用いられ、さらに、スピーカ２０及びスピーカ制御回路２１が用いられているが、これに限るものではなく、例えばこれらのどちらか一方でも良い。
【００２４】
また、ＲＯＭ１３には、画像データが登録された画像ファイル及び音声データが登録された音声ファイルが格納されている。これらの画像ファイル及び音声ファイルについて図３を参照して説明する。ここで、図３（ａ）は画像ファイルを模式的に示す説明図、図３（ｂ）は音声ファイルを模式的に示す説明図である。
【００２５】
図３（ａ）に示すように、画像ファイルには数種類の画像データが各画像コードに対応付けられて格納され、図３（ｂ）に示すように、音声ファイルには数種類の音声データが各音声コードに対応付けられて格納されている。これらの画像データや音声データに基づいて、数種類の画像が衝撃の強さや温度範囲に応じて選択されてディスプレイ５の画面に表示され、数種類の音声も同様に選択されてスピーカ２０から出される。すなわち、振動センサ９ａ〜９ｄや温度センサ８による衝撃の強さや温度の検出程度に応じて画像態様や音声態様は変化する。
【００２６】
ここで、衝撃の強さは、例えば、３つの規定加速度Ａ，Ｂ，Ｃ（ｍ／ｓ２）を設定することによって４段階に分けられる。規定加速度Ａはグラフィックターミナル１を落下高さ６０ｃｍから落下させたときの最大加速度、規定加速度Ｂはグラフィックターミナル１を落下高さ４０ｃｍから落下させたときの最大加速度、規定加速度Ｃはグラフィックターミナル１を落下高さ２０ｃｍから落下させたときの最大加速度である（Ａ＞Ｂ＞Ｃ）。このように、衝撃の強さは４段階に分けられているが、これに限るものではなく、例えば５段階に分けられても良い。
【００２７】
また、温度範囲は、例えば、グラフィックターミナル１の動作温度範囲（使用温度範囲）を基準として、５℃以上３０℃以下の温度範囲、５℃より小さい温度範囲、３０℃より大きい温度範囲というように３段階の温度範囲に分けられる。このように、温度範囲は３段階に分けられているが、これに限るものではなく、例えば４段階に分けられても良い。なお、本実施の形態のグラフィックターミナル１の動作温度範囲は０℃以上３５℃以下であるが、本実施の形態では、グラフィックターミナル１の故障を確実に防止するため、動作温度範囲の下限値を５℃高く、動作温度範囲の上限値を５℃低くして、動作温度範囲を５℃以上３０℃以下に設定している。
【００２８】
このような構成において、グラフィックターミナル１のＲＯＭ１３に格納されたプログラムがマイコン１０に実行させる処理について説明する。なお、本実施の形態においては、従来のグラフィックターミナル１によって実行される処理と同様の処理については説明を省略する。
【００２９】
振動センサ９ａ〜９ｄによる検出結果に応じて実行される衝撃報知処理について図４を参照して説明する。ここで、図４は衝撃報知処理の流れを示すフローチャートである。
【００３０】
図４に示すように、衝撃報知処理は、振動センサ９ａ〜９ｄによって検出された４つの加速度Ｘの中で少なくとも一つの加速度Ｘ（ｍ／ｓ２）が規定加速度Ａ以上（Ｘ≧Ａ）であるか否かを判断し（ステップＳ１）、同様に少なくとも一つの加速度Ｘが規定加速度Ａより小さく規定加速度Ｂ以上（Ａ＞Ｘ≧Ｂ）であるか否かを判断し（Ｓ２）、同様に少なくとも一つの加速度Ｘが規定加速度Ｂより小さく規定加速度Ｃ以上（Ｂ＞Ｘ≧Ｃ）であるか否かを判断し（Ｓ３）、グラフィックターミナル１に外部から加えられた力の強さ、すなわち外部から受けた衝撃の強さを選別することに待機する（Ｓ１のＮ，Ｓ２のＮ，Ｓ３のＮ）。
【００３１】
加速度Ｘが規定加速度Ａ以上であると判断した場合には（Ｓ１のＹ）、画像コード及び音声コードを指定する変数であるｎを１とする（Ｓ４）。その後、タイマＴをスタートさせ（Ｓ５）、画像コードｎ＝１の画像をディスプレイ５に表示させ（Ｓ６：外力報知手段）、音声コードｎ＝１の音声をスピーカ２０に出させる（Ｓ７：外力報知手段）。そして、タイマＴが規定時間以上、例えば１５秒以上になるまで、ステップＳ６及びステップＳ７を繰り返す（Ｓ８のＮ）。タイマＴが１５秒以上になると（Ｓ８のＹ）、ディスプレイ５に画像コードｎ＝１の画像の表示を停止させ（Ｓ９）、スピーカ２０に音声コードｎ＝１の音声の出力を停止させ（Ｓ１０）、処理が終了する。
【００３２】
加速度Ｘが規定加速度Ａより小さく規定加速度Ｂ以上であると判断した場合には（Ｓ２のＹ）、ｎを２とする（Ｓ１１）。その後、タイマＴをスタートさせ（Ｓ５）、画像コードｎ＝２の画像をディスプレイ５に表示させ（Ｓ６：外力報知手段）、音声コードｎ＝２の音声をスピーカ２０に出させる（Ｓ７：外力報知手段）。そして、タイマＴが規定時間以上、例えば１５秒以上になるまで、ステップＳ６及びステップＳ７を繰り返す（Ｓ８のＮ）。タイマＴが１５秒以上になると（Ｓ８のＹ）、ディスプレイ５に画像コードｎ＝２の画像の表示を停止させ（Ｓ９）、スピーカ２０に音声コードｎ＝２の音声の出力を停止させ（Ｓ１０）、処理が終了する。
【００３３】
加速度Ｘが規定加速度Ｂより小さく規定加速度Ｃ以上であると判断した場合には（Ｓ３のＹ）、ｎを３とする（Ｓ１２）。その後、タイマＴをスタートさせ（Ｓ５）、画像コードｎ＝３の画像をディスプレイ５に表示させ（Ｓ６：外力報知手段）、音声コードｎ＝３の音声をスピーカ２０に出させる（Ｓ７：外力報知手段）。そして、タイマＴが規定時間以上、例えば１５秒以上になるまで、ステップＳ６及びステップＳ７を繰り返す（Ｓ８のＮ）。タイマＴが１５秒以上になると（Ｓ８のＹ）、ディスプレイ５に画像コードｎ＝３の画像の表示を停止させ（Ｓ９）、スピーカ２０に音声コードｎ＝３の音声の出力を停止させ（Ｓ１０）、処理が終了する。
【００３４】
次に、温度センサ８による検出結果に応じて実行される温度報知処理について図５を参照して説明する。ここで、図５は温度報知処理の流れを示すフローチャートである。
【００３５】
図５に示すように、温度報知処理は、温度センサ８によって検出された温度Ｙ（℃）が下限値である５℃より小さいか否かを判断し（ステップＳ２０）、検出された温度Ｙが上限値である３０℃より大きいか否かを判断し（Ｓ２１）、検出された温度Ｙがグラフィックターミナル１の動作温度範囲から外れるまで待機する（Ｓ２０のＮ，Ｓ２１のＮ）。
【００３６】
温度Ｙが５℃より小さいと判断した場合には（Ｓ２０のＹ）、画像コード及び音声コードを指定する変数であるｎを４とする（Ｓ２２）。その後、画像コードｎ＝４の画像をディスプレイ５に表示させ（Ｓ２３：温度報知手段）、音声コードｎ＝４の音声をスピーカ２０に出させる（Ｓ２４：温度報知手段）。そして、温度Ｙが５℃以上３０℃以下になるまで、ステップＳ２３及びステップＳ２４を繰り返す（Ｓ２５のＮ）。温度Ｙが５℃以上３０℃以下になると（Ｓ２５のＹ）、ディスプレイ５に画像コードｎ＝４の画像の表示を停止させ（Ｓ２６）、スピーカ２０に音声コードｎ＝４の音声の出力を停止させ（Ｓ２７）、処理が終了する。
【００３７】
温度Ｙが３０℃より大きいと判断した場合には（Ｓ２１のＹ）、ｎを５とする（Ｓ２８）。その後、画像コードｎ＝５の画像をディスプレイ５に表示させ（Ｓ２３：温度報知手段）、音声コードｎ＝５の音声をスピーカ２０に出させる（Ｓ２４：温度報知手段）。そして、温度Ｙが５℃以上３０℃以下になるまで、ステップＳ２３及びステップＳ２４を繰り返す（Ｓ２５のＮ）。温度Ｙが５°より大きく３０℃より小さくなると（Ｓ２５のＹ）、ディスプレイ５に画像コードｎ＝５の画像の表示を停止させ（Ｓ２６）、スピーカ２０に音声コードｎ＝５の音声の出力を停止させ（Ｓ２７）、処理が終了する。
【００３８】
なお、本実施の形態においては、グラフィックターミナル１に報知部としてディスプレイ５やスピーカ２０等と外力検出部として振動センサとを設けているが、これに限るものではなく、例えば、グラフィックターミナル１に報知部として振動の衝撃を与える振動装置、例えばバイブレータと外力検出部として圧力センサとを設け、圧力センサによる検出結果に応じてバイブレータを振動させるようにしても良い。
【００３９】
このように本実施の形態によれば、振動センサ９ａ〜９ｄによって外部から加えられた衝撃の強さが検出され、この検出結果に応じてディスプレイ５及びスピーカ２０等によって報知動作、すなわち、グラフィックターミナル１の取り扱いの注意を促すための数種類の画像が衝撃の強さに応じてディスプレイ５の画面に選択表示され、同様に取り扱いの注意を促すための数種類の音声が衝撃の強さに応じて選択されてスピーカ２０から出されることによって、グラフィックターミナル１の取り扱いに対する注意がオペレータに促され、オペレータはグラフィックターミナル１を大事に取り扱うようになるので、粗略な取り扱いによるグラフィックターミナル１の破損及び故障を防止することができる。さらに、親しみのある画像や音声によって、オペレータはグラフィックターミナル１に愛着や親近感を持ち、より確実にグラフィックターミナル１を大事に取り扱うようになる。
【００４０】
また、本実施の形態においては、温度を検出するための温度検出部、例えば温度センサ８と、この温度センサ８による検出結果に応じて報知部、例えばディスプレイ５やスピーカ２０に報知動作を行わせる温度報知手段とを備えるため、人間が知覚可能な態様として、温度範囲に応じて数種類の画像がディスプレイ５の画面に表示され、温度範囲に応じて数種類の音声がスピーカ２０から出されることで、オペレータにグラフィックターミナル１の取り扱いに対する注意が促され、オペレータは動作温度範囲内でグラフィックターミナル１を使用するようになり、さらに、一時的にグラフィックターミナル１を置く場合にも直射日光が当たらない場所等の周辺温度が動作温度範囲内である場所に置くようになるので、グラフィックターミナル１の故障を防止することができる。
【００４１】
【発明の効果】
本発明によれば、小型携帯端末の取り扱いに対する注意が報知部による報知動作によって使用者に促され、使用者は小型携帯端末を大事に取り扱うようになるので、粗略な取り扱いによる小型携帯端末の破損及び故障を防止することができる。
【図面の簡単な説明】
【図１】本発明の実施の一形態のグラフィックターミナルを概略的に示す外観斜視図である。
【図２】グラフィックターミナルが備える各部の電気的接続を概略的に示すブロック図である。
【図３】（ａ）は画像ファイルを模式的に示す説明図、（ｂ）は音声ファイルを模式的に示す説明図である。
【図４】衝撃報知処理の流れを示すフローチャートである。
【図５】温度報知処理の流れを示すフローチャートである。
【符号の説明】
１…小型携帯端末（グラフィックターミナル）、５，１６…報知部（ディスプレイ，表示制御回路）、８…温度検出部（温度センサ）、９ａ〜９ｆ…外力検出部（振動センサ）、２０，２１…報知部（スピーカ，スピーカ制御回路）
【図１】
2004021499.tif 000003
【図２】
2004021499.tif 000004
【図３】
2004021499.tif 000005
【図４】
2004021499.tif 000006
【図５】
2004021499.tif 000007